(57)【要約】【課題】タッチＡＦ機能やタッチ追尾機能等の操作と混同することなく、容易に送信先を指定して画像データを送信できるようにする。【解決手段】情報記録再生装置は、表示手段において表示される画像データに含まれる被写体を認識し（Ｓ６０２）、被写体に対応する通信装置に画像データを送信するための送信ボタンを、前記被写体と対応付けて表示する（Ｓ６０４）。そして、情報記録再生装置は、送信ボタンに対する操作を受け付けると（Ｓ６０７）、被写体に対応する通信装置に画像データを送信する（Ｓ６１１）。【選択図】図６
2014027358.tif 000002
【特許請求の範囲】
【請求項１】
表示手段において表示される画像データに含まれる被写体を認識する認識手段と、
前記認識手段により認識された被写体の領域を示す被写体領域に対する操作を受け付ける第１の受付手段と、
前記第１の受付手段により操作が受け付けられた場合に所定の処理を実行する処理手段と、
前記認識手段により認識された前記被写体に対応する通信装置に前記画像データを送信するための送信ボタンを、前記被写体と対応付けて前記被写体領域とは異なる領域に表示する表示制御手段と、
前記送信ボタンに対する操作を受け付ける第２の受付手段と、
前記第２の受付手段により前記送信ボタンに対する操作が受け付けられた場合、前記被写体に対応する前記通信装置に前記画像データを送信する送信手段とを有することを特徴とする送信装置。
【請求項２】
前記表示制御手段は、前記被写体領域の近傍に前記送信ボタンを表示することを特徴とする請求項１に記載の送信装置。
【請求項３】
前記表示制御手段は、前記被写体領域を示す枠を更に表示し、前記枠の色と、前記送信ボタンの色とを対応させることを特徴とする請求項１又は２に記載の送信装置。
【請求項４】
前記第２の受付手段により前記送信ボタンに対する操作が受け付けられ、前記送信手段により前記通信装置に対して前記画像データが送信された場合、前記画像データを当該送信装置には記録しないことを特徴とする請求項１乃至３の何れか１項に記載の送信装置。
【請求項５】
前記表示制御手段は、前記第２の受付手段により操作が受け付けられた前記送信ボタンを強調表示することを特徴とする請求項１乃至４の何れか１項に記載の送信装置。
【請求項６】
前記被写体に係る情報と前記被写体に対応する送信先に係る情報とを対応付けて管理する管理手段と、
前記管理手段において管理される前記被写体に係る情報と、前記認識手段による前記被写体の認識結果とを照合する照合手段とを更に有し、
前記送信手段は、前記照合手段による照合の結果、前記被写体に係る情報と、前記認識手段による前記被写体の認識結果とが一致した場合、前記被写体に対応する前記送信先に係る情報を用いて、前記被写体に対応する前記通信装置に前記画像データを送信することを特徴とする請求項１乃至５の何れか１項に記載の送信装置。
【請求項７】
表示手段において表示される画像データに含まれる被写体を認識する認識ステップと、
前記認識ステップにより認識された被写体の領域を示す被写体領域に対する操作を受け付ける第１の受付ステップと、
前記第１の受付ステップにより操作が受け付けられた場合に所定の処理を実行する処理ステップと、
前記認識ステップにより認識された前記被写体に対応する通信装置に前記画像データを送信するための送信ボタンを、前記被写体と対応付けて前記被写体領域とは異なる領域に表示する表示制御ステップと、
前記送信ボタンに対する操作を受け付ける第２の受付ステップと、
前記第２の受付ステップにより前記送信ボタンに対する操作が受け付けられた場合、前記被写体に対応する前記通信装置に前記画像データを送信する送信ステップとを有することを特徴とする送信装置の制御方法。
【請求項８】
表示手段において表示される画像データに含まれる被写体を認識する認識ステップと、
前記認識ステップにより認識された被写体の領域を示す被写体領域に対する操作を受け付ける第１の受付ステップと、
前記第１の受付ステップにより操作が受け付けられた場合に所定の処理を実行する処理ステップと、
前記認識ステップにより認識された前記被写体に対応する通信装置に前記画像データを送信するための送信ボタンを、前記被写体と対応付けて前記被写体領域とは異なる領域に表示する表示制御ステップと、
前記送信ボタンに対する操作を受け付ける第２の受付ステップと、
前記第２の受付ステップにより前記送信ボタンに対する操作が受け付けられた場合、前記被写体に対応する前記通信装置に前記画像データを送信する送信ステップとをコンピュータに実行させるためのプログラム。
【発明の詳細な説明】
【技術分野】
【０００１】
本発明は、送信先を指定して画像データを送信する技術に関するものである。
【背景技術】
【０００２】
近年、ディジタルカメラやビデオカメラ等には、表示装置にタッチパネルが備えられ、ユーザが所望の操作を直感的に行うことが可能となっている。特許文献１には、被写体情報と画像データの送信先を示す送信先情報とを対応付けて管理し、タッチパネル上において被写体にタッチすることにより、当該被写体に対応する送信先に画像データが送信される技術が開示されている。
【先行技術文献】
【特許文献】
【０００３】
【特許文献１】特開２００９−１５２６８９号公報
【発明の概要】
【発明が解決しようとする課題】
【０００４】
しかしながら、特許文献１には、タッチされた被写体に対応する送信先に画像データを送信する機能と、タッチされた被写体にフォーカスを合わせるタッチＡＦ機能やタッチされた被写体を追尾するタッチ追尾機能等との共存については開示されていない。
【０００５】
そこで、本発明の目的は、他の操作と混同することなく、容易に送信先を指定して画像データを送信できるようにすることにある。
【課題を解決するための手段】
【０００６】
本発明の送信装置は、表示手段において表示される画像データに含まれる被写体を認識する認識手段と、前記認識手段により認識された前記被写体に対応する通信装置に前記画像データを送信するための送信ボタンを、前記被写体と対応付けて表示する表示制御手段と、前記送信ボタンに対する操作を受け付ける受付手段と、前記受付手段により前記送信ボタンに対する操作が受け付けられた場合、前記被写体に対応する前記通信装置に前記画像データを送信する送信手段とを有することを特徴とする。
【発明の効果】
【０００７】
本発明によれば、他の操作と混同することなく、容易に送信先を指定して画像データを送信することが可能となる。
【図面の簡単な説明】
【０００８】
【図１】本発明の実施形態に係る情報記録再生装置の構成を示す図である。
【図２】本発明の実施形態に係る情報記録再生装置を適用したシステム構成例を示す図である。
【図３】被写体の登録名、無線ＬＡＮパラメータ及び登録顔データを対応付けて管理するための管理テーブルの構成例を示す図である。
【図４】被写体の登録名、無線ＬＡＮパラメータの登録数及び送信ステータスを対応付けて管理するための画像ステータステーブルの構成例を示す図である。
【図５】本発明の実施形態に係る情報記録再生装置の具体的な操作方法を説明するための図である。
【図６】本発明の実施形態に係る情報記録再生装置の処理を示すフローチャートである。
【図７】本発明の実施形態に係る情報記録再生装置の処理を示すフローチャートである。
【発明を実施するための形態】
【０００９】
以下、本発明を適用した好適な実施形態を、添付図面を参照しながら詳細に説明する。
【００１０】
図１は、本発明の実施形態に係る情報記録再生装置１００の構成を示す図である。図１において、１０１は、レンズユニットであり、集光のための固定レンズ群、変倍レンズ群、絞り、及び、変倍レンズ群の動きで移動した結像位置を補正する機能と焦点調節を行う機能とを兼ね備えた補正レンズ群により構成されている。レンズユニット１０１によって、最終的に後述のＣＣＤ１０４の結像面上に被写体像が結像される。１０４は、ＣＣＤ（charge coupled device）であり、光を電荷に変換して撮像信号を生成する撮像素子である。１０５は、Ａ／Ｄ処理部であり、撮像信号に対して所定の処理を施してデジタル画像データを出力する。以上の構成を総じてカメラユニットとする。なお、図１には示していないが、変倍レンズ群、絞り等のアクチュエータ、手ぶれ補正のためのセンサ（例えば、角速度センサ）、手ぶれ補正手段（例えば、シフトレンズ等）が備えられている。
【００１１】
１１８は、カメラ制御マイクロコンピュータであり、後述のマイクロコンピュータ１１０の制御に従ってカメラユニットを制御する。また、カメラ制御マイクロコンピュータ１１８は、カメラユニットの情報、例えば合焦情報又は手ぶれ情報等のカメラユニットから得られる情報を、マイクロコンピュータ１１０に伝達する役割も果たしている。１０９はマイクユニットである。マイクユニット１０９は、撮影時に音声を集めるために備えられており、所定の増幅及び帯域制限等を実行する。１１９はＡ／Ｄ処理部であり、マイクユニット１０９の出力を受けて、デジタル音声データを出力する。
【００１２】
１１０は、マイクロコンピュータであり、システム全体を制御する。マイクロコンピュータ１１０は、プログラムを格納する不揮発性メモリ（ＲＯＭ）、作業領域となる揮発性メモリ（ＲＡＭ）、他のハードウエアとのデータの受け渡しや制御用レジスタをアクセスするための外部バス、及び、時間を計測するタイマを少なくとも有している。１０３は、バスである。バス１０３には各ブロックが接続されており、マイクロコンピュータ１１０の制御に従ってデータの受け渡しを行う伝送路である。
【００１３】
１０２は、エンコーダ部であり、ＭＰＥＧ(Moving Picture Experts Group)２圧縮部とＪＰＥＧ(Joint Photographic Experts Group)圧縮部とを有する。ＭＰＥＧ２圧縮部は、マイクロコンピュータ１１０の制御に従ってデジタル画像データ及びデジタル音声データを受け、ＭＰＥＧ２方式で圧縮する。ＭＰＥＧ２方式で圧縮されたデータはさらに時系列順に多重化され、圧縮ビデオデータが生成される。圧縮方式については、ＭＰＥＧ２方式を例に挙げたが、他の圧縮方式でもよい。ＪＰＥＧ圧縮部は、マイクロコンピュータ１１０の制御に従ってデジタル画像データを入力し、ＪＰＥＧ方式で圧縮して静止画データを生成する。また、エンコーダ部１０２は、例えばデータ位置とフレーム位置との変換に必要となる情報等をマイクロコンピュータ１１０に通知する機能を備えている。
【００１４】
１２１は記録再生回路であり、エンコーダ部１０２、メモリ１０６、メモリカード１２０及びデコーダ部１０８とのインタフェースを有し、マイクロコンピュータ１１０の制御によってデータの受け渡しを制御する。メモリ１０６は、各ブロックから作業用の記録領域として使用される。１２０は、撮影された動画データを記録するメモリカードである。記録再生回路１２１は、バス１０３に接続されるマイクロコンピュータ１１０やメモリ１０６とのインタフェースと、メモリカード１２０とのインタフェースとを備えている。そして、記録再生回路１２１は、マイクロコンピュータ１１０等からメモリカード１２０の制御レジスタにアクセスするための変換を行う。
【００１５】
メモリカード１２０には、撮影された画像データが格納される。なお、メモリカード１２０は、記録媒体そのものだけではなく、記録再生回路１２１と接続可能なインタフェースを有し、メモリカード１２０にデータ等を読み書き可能なユニットである。記録再生回路１２１は、メモリ１０６の先頭アドレス及びデータ量、並びに、メモリカード１２０の書き込む先頭アドレスを指定することにより、読み出し又は書き込みデータを自動転送する、所謂ダイレクトメモリアクセス（ＤＭＡ）機能を備えている。
【００１６】
１０８はデコーダ部であり、マイクロコンピュータ１１０によって指定されたメモリ１０６のアドレスから、圧縮ビデオデータや圧縮静止画データを逐次読み出す。読み出された圧縮ビデオデータや圧縮静止画データは、例えばITU-R BT.656（CCIR656）等のデジタル映像信号及びデジタル音声信号に変換されて出力される。圧縮静止画データの再生時には、必要があれば縮小処理を行うことができるように工夫されている。
【００１７】
１０７は、音声出力部である。１１７は、映像出力部である。音声出力部１０７及び映像出力部１１７は、デコーダ部１０８によって変換されたデジタル映像信号、及び、デジタル音声信号をそれぞれアナログ信号に変換し、外部に出力するためのブロックであり、テレビジョン受像機等に接続される。
【００１８】
１１３は、オンスクリーンディスプレイ（ＯＳＤ）部であり、後述する各種設定を行うためのメニュー画面やタイトル、時間等の情報をビデオ出力に重畳させる。また、ＯＳＤ部１１３には、デコーダ部１０８から入力されるデジタル映像信号をキャプチャし、縮小処理を施し、任意の位置に重畳させる機能も兼ね備える。
【００１９】
１１２は、操作するためのスイッチが配置されたスイッチ操作部である。スイッチ操作部１１２は、タッチパネル操作部１１５と同様に、ユーザの操作によって入力された信号をマイクロコンピュータ１１０に対して出力する。マイクロコンピュータ１１０は、スイッチ操作部１１２から入力された信号を判定して、情報記録再生装置１００を制御する。
【００２０】
マイクロコンピュータ１１０は、所定のファイルシステムを扱うソフトウェアを搭載しており、このファイルシステムに従ってメモリカード１２０に対するデータの読み書きが行われる。１１１はＥＥＰＲＯＭであり、書き換え可能なＲＯＭである。
【００２１】
１１４は、ＥＶＦ（Electronic View Finder）であり、被写体を覗く小窓として用いられる。１１６は、液晶パネルであり、被写体を表示するためのモニタ画面として用いられる。１１５は、タッチパネル操作部であり、液晶パネル１１６と一体的に使用される。即ち、液晶パネル１１６は、サムネイル画像データや仮想ボタンを表示するとともに、タッチパネル操作部１１５は、ユーザの操作を受け付ける。１２２は、画面制御部であり、タッチパネル操作部１１５からの入力を演算して、仮想ボタンを押されたことを検知する。さらに、画面制御部１２２は、液晶パネル１１６に出力する仮想ボタンの制御も行う。
【００２２】
１２４は、顔検出部であり、ＣＣＤ１０４で撮像された画像データに対する顔検出処理を行うことにより、当該画像データ内に含まれる被写体の顔領域等を検出する。この顔検出処理は、公知のアルゴリズムによって行われる。例えば、顔検出部１２４は、スルー画像データ又は撮像された画像データから、目、鼻、口の各端点や顔の輪郭点等の特徴点を抽出し、これらの特徴点に基づいて、被写体の顔領域及び顔の大きさを検出する。
【００２３】
１２５は、顔認識部であり、顔検出部１２４の出力に基づいて、認証対象となる顔の特徴を示す認証顔データを生成する。例えば、顔認識部１２５は、顔検出部１２４によって検出された顔の特徴点の位置、特徴点から求まる顔パーツの大きさ、及び、各特徴点の相対距離等から認証顔データを生成する。１２３は、無線通信部であり、無線ネットワーク上の他の情報記録再生装置との無線通信を行い、無線ＬＡＮパラメータの取得や情報の送受信を行う。
【００２４】
図２は、本実施形態に係る情報記録再生装置１００を適用したシステム構成例を示す図である。操作者２０１によって所持される情報記録再生装置１００は、他のユーザによって所持される情報記録再生装置２０２〜２０５と無線ネットワーク２００を介して接続される。なお、情報記録再生装置２０２〜２０５は、図１に示した情報記録再生装置１００と同様の構成を備えている。また、ここでは、無線ネットワーク２００として、IEEE802.11a/b/g等の無線ＬＡＮを想定している。但し、無線ネットワークの種類は限定されるものではなく、Wireless USB等で用いられるＵＷＢ(Ultra Wide Band)やBluetooth（登録商標）等であってもよい。
【００２５】
各情報記録再生装置１００及び２０２〜２０５は、一般的な無線ＬＡＮで使用されるネットワーク識別情報であるＳＳＩＤ、無線通信チャネル、及び、暗号化キー等の無線パラメータをメモリ１０６上に予め記憶している。そして、各情報記録再生装置１００及び２０２〜２０５は、メモリ１０６上に記憶された無線ＬＡＮパラメータに基づいて、無線ネットワーク２００を構築する。なお、ＳＳＩＤとは、Service Set Identifierの略称である。なお、情報記録再生装置１００は送信装置の例であり、情報記録再生装置２０２〜２０５は通信装置の例である。
【００２６】
図３は、被写体の登録名、無線ＬＡＮパラメータ及び登録顔データを対応付けて管理するための管理テーブル３００の構成例を示す図である。例えば、管理テーブル３００において、登録名“Ａさん”、無線ＬＡＮパラメータ“WirelessParam1”及び登録顔データ“ｆａｃｅＡ”が対応付けられている。
【００２７】
管理テーブル３００は、撮影された画像データ内に、登録顔データに対応する顔が含まれている場合、当該登録顔データに対応付けられている登録名を表示するために用いられる。また、管理テーブル３００は、当該登録顔データに対応付けられている無線ＬＡＮパラメータを用いて、上記撮影された画像データを情報記録再生装置に対して送信するためにも用いられる。管理テーブル３００において、１つの無線ＬＡＮパラメータに対して複数の登録顔データを対応付けるようにしてもよい。なお、登録顔データは、認証顔データと同様に顔の特徴を示すデータである。
【００２８】
なお、管理テーブル３００において管理される被写体の登録名及び無線ＬＡＮパラメータは、無線通信を使用して他の通信装置から情報記録再生装置１００に送信することにより得られる。また、管理テーブル３００において管理される登録顔データは、スイッチ操作部１１２を操作して、情報記録再生装置１００内において保存される画像データから登録顔データを切り出すことにより得られる。但し、管理テーブル３００において管理されるこれらの情報の取得方法は、上記に限定されるものではない。
【００２９】
図４は、被写体の登録名、無線ＬＡＮパラメータの登録数及び送信ステータスを対応付けて管理するための画像ステータステーブル４００の構成例を示す図である。例えば、画像ステータステーブル４００において、登録名“Ａさん”、無線ＬＡＮパラメータの登録数“１（WirelessParam1）”及び送信ステータス“１／１”が対応付けられている。
【００３０】
送信ステータスには、撮影された画像データに対する顔認識処理の結果である認証顔データと、管理テーブル３００において管理される登録顔データとの照合処理により得られる値が設定される。即ち、認証顔データと、管理テーブル３００において管理される登録顔データとの一致度を評価して照合することにより、撮像された画像データに含まれる被写体の顔と一致する登録顔データが管理テーブル３００において管理されているか否かが判定される。そして、認証顔データと一致する登録顔データが管理テーブル３００において管理されている場合、当該登録顔データに対応付けられる無線ＬＡＮパラメータの数（情報記録再生装置の数）が送信ステータスの分母に設定される。一方、認証顔データと一致する登録顔データが管理テーブル３００に存在しない場合、送信ステータスの分母には０が設定される。送信ステータスの分子には、認証顔データと一致すると判定された登録顔データに対応付けられる無線ＬＡＮパラメータのうち、既に画像データが送信された無線ＬＡＮパラメータの数（情報記録再生装置の数）が設定される。
【００３１】
図４に示す画像ステータステーブル４００において、例えば、登録名“Ａさん”に対応する送信ステータスには“１／１”が設定されている。これは、管理テーブル３００において登録名“Ａさん”に対応付けられる１つの無線ＬＡＮパラメータ（１つの情報記録再生装置）に対して、画像データが送信済みであることを意味する。また、登録名“Ｃさん”に対応する送信ステータスには“０／１”が設定されている。これは、管理テーブル３００において登録名“Ｃさん”に対応付けられる１つの無線ＬＡＮパラメータ（１つの情報記録再生装置）に対して、画像データが未送信であることを意味する。また、登録名“Ｄさん”に対応する送信ステータスには“０／０”が設定されている。これは、認証顔データと登録顔データとの照合処理の結果、管理テーブル３００において登録名“Ｄさん”と対応付けられる登録顔データと認証顔データとが一致しなかったことを意味する。このような場合、管理テーブル３００において登録名“Ｄさん”と対応付けられる無線ＬＡＮパラメータは、画像データの送信対象に該当しない。
【００３２】
図５は、本実施形態に係る情報記録再生装置１００の具体的な操作方法を説明するための図である。先ず、図５（ａ）に示す画像データに対して顔認識処理が実行されることにより、認証顔データ“ｆａｃｅＡ”、認証顔データ“ｆａｃｅＢ”及び認証顔データ“ｆａｃｅＣ”が生成される。次に、各認証顔データについて、管理テーブル３００において管理されている登録顔データとの照合処理が行われる。次に、管理テーブル３００において、認証顔データと一致すると判定された登録顔データに対応付けられる無線ＬＡＮパラメータの数が、画像ステータステーブル４００における送信ステータスの分母に設定される。
【００３３】
以下では、管理テーブル３００において、或る認証顔データと一致する登録顔データに対応付けられている無線ＬＡＮパラメータを、当該認証顔データの対応無線ＬＡＮパラメータと称す。例えば、認証顔データ“ｆａｃｅＡ”と登録顔データ“ｆａｃｅＡ”とが一致すると判定された場合、登録顔データ“ｆａｃｅＡ”に対応付けられている無線ＬＡＮパラメータは“WirelessParam1”である。従って、認証顔データ“ｆａｃｅＡ”の対応無線ＬＡＮパラメータは、“WirelessParam1”となり、その数は１つである。同様に、図５（ａ）に示す画像データ内に含まれる、認証顔データ“ｆａｃｅＢ”と認証顔データ“ｆａｃｅＣ”とについても同様に、顔認識データ“ｆａｃｅＢ”の対応無線ＬＡＮパラメータの数と認証顔データ“ｆａｃｅＣ”の対応無線ＬＡＮパラメータの数とが求められ、画像ステータステーブル４００における送信ステータスの分母に設定される。さらに、画像ステータステーブル４００において、各対応無線ＬＡＮパラメータに対する現在の画像データ送信状況が送信ステータスの分子に設定される。
【００３４】
次に、図６を参照しながら、本実施形態に係る情報記録再生装置１００が撮影モードにおいて画像データを特定のユーザに送信する動作について説明する。
【００３５】
ステップＳ６０１において、マイクロコンピュータ１１０は、ＣＣＤ１０４に結像され、逐次液晶パネル１１６に表示される、所謂スルー画像データに対して顔認識処理が実行済みであるか否かを判定する。顔認識処理が実行済みである場合、処理はステップＳ６０３に移行する。一方、顔認識処理が実行済みでない場合、処理はステップＳ６０２に移行する。ステップＳ６０２において、顔検出部１２４は、目、鼻及び口の各端点並びに顔の輪郭点等の特徴点を画像データから抽出し、被写体の顔領域及び顔の大きさ等を検出する。なお、ここで検出された被写体の顔領域には枠が表示される。なお、被写体の顔領域は被写体領域の一例である。顔認識部１２５は、顔検出部１２４で検出された特徴点に基づいて、認証対象となる顔の特徴を示す認証顔データを生成する。例えば、図５（ａ）に示す画像データに対して顔検出部１２４によって顔検出処理が実行されると、図５（ｂ）に示すように、顔領域を示す枠５０１〜５０３が表示される。なお、図５（ｂ）の撮影ボタン５０４は、カメラユニットにより画像データを撮影し、エンコーダ部１０２内のＪＰＥＧ圧縮部でＪＰＥＧデータを生成して、メモリカード１２０に保存するためのボタンである。
【００３６】
ステップＳ６０３においては、マイクロコンピュータ１１０は、顔認識処理により生成された認証顔データと、管理テーブル３００において管理される登録顔データとを照合する。ステップＳ６０４において、マイクロコンピュータ１１０は、ステップＳ６０３における照合処理によって登録顔データと一致すると判定された認証顔データ“ｆａｃｅＡ”、“ｆａｃｅＢ”及び“ｆａｃｅＣ”それぞれに関して、図５（ｃ）に示すように、 登録名“Ａさん”、“Ｂさん”及び“Ｃさん”を表示する。また、マイクロコンピュータ１１０は、顔検出部１２４により検出された顔領域と重ならない領域であって、且つ、当該顔領域の近傍に、送信ボタン５０５〜５０７を配置する。例えば、送信ボタン５０５は、管理テーブル３００において、登録名“Ａさん”に対応付けて管理される無線ＬＡＮパラメータ“WirelessParam1”を用いて情報記録再生装置に画像データを送信するためのボタンである。なお、顔領域と重ならない領域であって、且つ、当該顔領域の近傍に、送信ボタン５０５〜５０７を配置する処理は、表示制御手段の処理例である。
【００３７】
送信ボタンを配置する際には、送信先毎に顔領域を示す枠の色を設定し、枠の色と送信ボタンの色とを対応させてもよい。図５（ｄ）において、例えば、登録名“Ａさん”の顔領域を示す枠５０１の色を青色とする場合、管理テーブル３００において登録名“Ａさん”に対応付けられる無線ＬＡＮパラメータ“WirelessParam1”を用いて画像データを送信するための送信ボタン５０５の色も青色とする。
【００３８】
ステップＳ６０５において、マイクロコンピュータ１１０は、液晶パネル１１６に表示されている被写体に対してタッチされたか否かを判定する。なお、このユーザによる操作は、タッチパネル操作部１１５を用いて行われる。被写体に対してタッチされた場合、処理はステップＳ６０６に移行する。一方、被写体に対してタッチされていない場合、処理はステップＳ６０６をスキップする。なお、本ステップでの被写体へのタッチ操作の受付は、第２の受付手段による操作の受付の一例である。
【００３９】
ステップＳ６０６において、マイクロコンピュータ１１０は、ステップＳ６０６でタッチされたと判定された被写体に対してフォーカスを合わせるようＡＦ制御する。このフォーカス処理は、例えば、図５（ｅ）に示すように、フォーカスが合っていない“Ｂさん”をユーザがタッチすると、図５（ｆ）に示すように、“Ｂさん”にフォーカスを合わせた画像データが表示される。なお、このフォーカス処理は所定の処理の一例である。
【００４０】
ステップＳ６０７において、マイクロコンピュータ１１０は、液晶パネル１１６に表示されている送信ボタンがタッチされたか否かを判定する。なお、このユーザによる操作は、タッチパネル操作部１１５を用いて行われる。送信ボタンがタッチされた場合、処理はステップＳ６０８に移行する。一方、送信ボタンがタッチされていない場合、処理はステップＳ６１２に移行する。なお、本ステップでの被写体へのタッチ操作の受付は、第１の受付手段による操作の受付の一例である。
【００４１】
ステップＳ６０８において、マイクロコンピュータ１１０は、液晶パネル１１６に表示されている画像データに対してＡＦ調整済みであるか否かを判定する。ＡＦ調整済みである場合、処理はステップＳ６１０に移行する。一方、ＡＦ調整済みでない場合、処理はステップＳ６０９に移行する。
【００４２】
ステップＳ６０９において、マイクロコンピュータ１１０は、液晶パネル１１６に表示されている画像データ全体に対してＡＦ調整を行う。ステップＳ６１０において、マイクロコンピュータ１１０は、撮影動作を制御する。ステップＳ６１１において、マイクロコンピュータ１１０は、ステップＳ６１０において撮影された画像データを、後述するように送信ボタンに対応する情報記録再生装置に対して送信する。なお、他の情報記録再生装置に対して画像データが送信された場合、情報記録再生装置１００においては当該画像データを記録しないようにする。このようにすることで、手軽に他人のための画像データを撮影し、送信することが可能となる。
【００４３】
例えば、マイクロコンピュータ１１０は、図５（ｃ）に示す画像データにおいて、“Ｂさん”の近傍に配置された送信ボタン５０６がタッチされたことを検出すると、図３に示す管理テーブル３００を参照して、登録名“Ｂさん”に対応付けられる無線ＬＡＮパラメータ“WirelessParam2”を用いて画像データを情報記録再生装置に対して送信する。マイクロコンピュータ１１０は、画像データの送信を終了すると、図４に示す画像ステータステーブル４００の送信ステータスの分子に“１”をセットする。なお、送信対象となる画像データが静止画データである場合、マイクロコンピュータ１１０は、送信ボタンがタッチされたタイミングで、画像データをエンコーダ部１０２内のＪＰＥＧ圧縮部に入力してＪＰＥＧデータを生成し、送信ボタンに対応する情報記録再生装置のみにＪＰＥＧデータが送信される。また、送信対象の画像データがストリームデータである場合、マイクロコンピュータ１１０は、送信ボタンがタッチされたタイミングで、画像データをエンコーダ部１０２内にあるＭＰＥＧ２圧縮部に入力してストリームデータを生成し、送信ボタンに対応する情報記録再生装置にストリームデータを送信する。このとき、タッチされた送信ボタンを拡大表示する等の強調表示が行われる。これにより、タッチされた送信ボタンが識別しやすくなる。強調表示された送信ボタンをユーザがタッチすると、マイクロコンピュータ１１０は、強調表示を解除して元のサイズで送信ボタンを表示するとともに、ストリームデータの送信を停止する。
【００４４】
ステップＳ６１２において、マイクロコンピュータ１１０は、液晶パネル１１６に表示されている撮影ボタンに対してタッチされたか否かを判定する。なお、このユーザによる操作は、タッチパネル操作部１１５を用いて行われる。撮影ボタンに対してタッチされていない場合、処理はステップＳ６０１に戻る。一方、撮影ボタンに対してタッチされた場合、処理はステップＳ６１３に移行する。ステップＳ６１３において、マイクロコンピュータ１１０は、液晶パネル１１６に表示されている画像データに対してＡＦ調整済みであるか否かを判定する。ＡＦ調整済みである場合、処理はステップＳ６１５に移行する。一方、ＡＦ調整済みでない場合、処理はステップＳ６１４に移行する。
【００４５】
ステップＳ６１４において、マイクロコンピュータ１１０は、液晶パネル１１６に表示されている画像データ全体に対してＡＦ調整を実行する。ここでのＡＦ調整は、図５（ｅ）に示すように、フォーカスが合っていない画像データに対して行われ、その結果、図５（ｇ）に示すように、全体にフォーカスが合った画像データが得られる。ステップＳ６１５において、マイクロコンピュータ１１０は、撮影動作を実行させる。この撮影動作によりＪＰＥＧデータが生成され、メモリカード１２０に保存される。なお、ステップＳ６１４でのＡＦ調整は必ずしも画像データ全体に対してフォーカスが合うようにする必要はなく、通常のＡＦ動作を行うことで、特定の領域にフォーカスを合わせるようにしてもよい。
【００４６】
次に、図７を参照しながら、本発明の実施形態に係る情報記録再生装置１００が再生モードにおいて画像データを特定のユーザに送信する動作について説明する。
【００４７】
ステップＳ７０１において、マイクロコンピュータ１１０は、送信対象の画像データを選択して表示画面上に表示する。静止画データが送信対象である場合には、マイクロコンピュータ１１０は、撮影済み画像データの中から画像データを選択して表示する。ストリームデータが送信対象である場合、マイクロコンピュータ１１０は、ストリームデータの再生を一時停止して、表示画面上に表示する。
【００４８】
ステップＳ７０２において、マイクロコンピュータ１１０は、送信対象の画像データに対して顔認識処理が実行済みであるか否かを判定する。顔認識処理が実行済みである場合、処理はステップＳ７０４に移行する。一方、顔認識処理が実行済みでない場合、処理はステップＳ７０３に移行する。
【００４９】
ステップＳ７０３において、マイクロコンピュータ１１０は、顔検出部１２４は、目、鼻及び口の各端点並びに顔の輪郭点等の特徴点を画像データから抽出し、被写体の顔領域及び顔の大きさ等を検出する。ここで検出された被写体の顔領域には枠が表示される。顔認識部１２５は、顔検出部１２４で検出された特徴点に基づいて、認証対象となる顔の特徴を示す認証顔データを生成する。
【００５０】
ステップＳ７０４において、マイクロコンピュータ１１０は、顔認識処理により生成された認証顔データと、管理テーブル３００において管理される登録顔データとを照合する。ステップＳ７０５において、マイクロコンピュータ１１０は、ステップＳ７０４における照合処理によって登録顔データと一致すると判定された認証顔データそれぞれに関して登録名を表示するとともに、顔検出部１２４により検出された顔領域と重ならない領域であって、且つ、当該顔領域の近傍に、送信ボタンを配置する。
【００５１】
ステップＳ７０６において、マイクロコンピュータ１１０は、液晶パネル１１６に表示されている送信ボタンがタッチされたか否かを判定する。なお、このユーザによる操作は、タッチパネル操作部１１５を用いて行われる。送信ボタンがタッチされた場合、処理はステップＳ７０７に移行する。一方、送信ボタンがタッチされていない場合、処理はステップＳ７０６に戻る。ステップＳ７０７において、マイクロコンピュータ１１０は、送信対象の画像データを、タッチされた送信ボタンに対応する情報記録再生装置に対して送信する。
【００５２】
以上のように、本実施形態においては、各認証顔データに対応付けて表示される送信ボタンがタッチされることにより、当該送信ボタンに対応する情報記録再生装置に対して画像データが送信される。従って、本実施形態によれば、タッチＡＦ機能やタッチ追尾機能等の操作と混同することなく、容易に送信先を指定して画像データを送信することが可能となる。
【００５３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５４】
１００：情報記録再生装置、１０１：レンズユニット、１０２：エンコーダ部、１０３：バス、１０４：ＣＣＤ、１０５：Ａ／Ｄ処理部、１０６：メモリ、１０７：音声出力部、１０８：デコーダ部、１０９：マイクユニット、１１０：マイクロコンピュータ、２１１：ＥＥＰＲＯＭ、１１２：スイッチ操作部、１１３：ＯＳＤ、１１４：ＥＶＦ、１１５：タッチパネル操作部、１１６：液晶パネル、１１７：映像出力部、１１８：カメラ制御マイクロコンピュータ、１１９：Ａ／Ｄ処理部、１２０：メモリカード、１２１：記録再生回路、１２２：画面制御部、１２３：無線通信部、１２４：顔検出部、１２５：顔認識部
【図１】
2014027358.tif 000003
【図２】
2014027358.tif 000004
【図３】
2014027358.tif 000005
【図４】
2014027358.tif 000006
【図５】
2014027358.tif 000007
【図６】
2014027358.tif 000008
【図７】
2014027358.tif 000009